(57)【要約】      （修正有）【課題】器具本体の放熱が向上されるとともに、配線の露出が視認されにくく器具本体が首振り可能にアームに取り付けられるＬＥＤ照明装置を提供する。【解決手段】ＬＥＤ照明装置１は、放熱フィン１３の先端側に取付段部を有する放熱器９を備えている灯体２と、ＬＥＤ７を点灯する点灯装置を収納している器体と、一端側が器体の底板に水平回動可能に取り付けられ、他端側３２ｂに垂直回転軸部および電線導入孔４７Ａを有する中空のアームと、一端側が取付段部に他端側が垂直回転軸部に取り付けられた結合体５と、灯体２の本体部８内から放熱器９の底部１２を通して放熱フィン１３間に撓みを持って導入され、結合体５の表面に沿って電線導入孔４７Ａからアーム４内に導入されて配線されたＬＥＤ７と点灯装置とを電気接続する電線６と、を具備している。【選択図】図５
2015022860.tif 000002
【特許請求の範囲】
【請求項１】
ＬＥＤと、このＬＥＤの放射光が一端側から前方に出射するように前記ＬＥＤを収納している筒状の本体部と、この本体部の他端側に取り付けられる底部、前記本体部の後方に突出するように前記底部の外面に並設された複数個の放熱フィンおよびこの放熱フィンの先端側に前記底部側に凹んで設けられた取付段部を有する放熱器とを備えている灯体と；  底板を有する箱状に形成され、前記ＬＥＤを点灯する点灯装置を収納している器体と；  一端側が前記底板に対して水平回動可能に取り付けられ、他端側に垂直回転軸部および電線導入孔を有する中空のアームと；  一端側が前記取付段部に取り付けられ、他端側が前記垂直回転軸部に前記底板に対して垂直回動可能に取り付けられた結合体と；  前記灯体の本体部内から放熱器の底部を通して放熱フィン間に撓みを持って導入され、前記結合体の表面に沿って前記アームの電線導入孔からアーム内に導入されて配線され、前記ＬＥＤと前記点灯装置とを電気接続する電線と；を具備していることを特徴とするＬＥＤ照明装置。
【請求項２】
前記放熱器は、前記取付段部が前記放熱フィンの並設方向の中間に位置する複数個の放熱フィンに設けられていることを特徴とする請求項１記載のＬＥＤ照明装置。
【発明の詳細な説明】
【技術分野】
【０００１】
本発明の実施形態は、光源としてのＬＥＤを備え、照射方向が所望に可変可能なＬＥＤ照明装置に関する。
【背景技術】
【０００２】
この種のＬＥＤ照明装置として、天井や壁面あるいはライティングレールなどの造営物に取り付せられたスポットライトが知られている。このスポットライトには、造営物に対して０°〜３６０°回動可能に設けられたアームに取り付けられているものがある。すなわち、スポットライトは、その器具本体にアーム結合部材を備えたものがあり、このアーム結合部材がアームの下端部に軸ねじを用いて結合され、器具本体がアームに対して上下方向に首振り可能となっている。アーム結合部材は、器具本体に連結している一対の連結部に、前記軸ねじが挿通される軸受孔を有する軸受部が形成されている。また、一対の連結部の間は、切り欠き部に形成されている。そして、造営物に設けられた電源装置から導出された電源線がアームの内部空間、アーム結合部材の一対の連結部の切り欠き部を通って器具本体内に導入され、器具本体内に設けられたＬＥＤに接続されている（例えば特許文献１参照。）。電源線は、アーム結合部材の切り欠き部で外部空間に露出している。  
【０００３】
ところで、ＬＥＤ照明装置は、光源であるＬＥＤが経年とともに高出力化されてきており、器具本体においてＬＥＤの発生熱を放熱させる放熱構造が求められている。例えば特許文献１のスポットライトには、一端側が器具本体に連続一体に連結された細長の小径円筒部を備え、この小径円筒部の外周面から軸方向の全長に亘って径方向に突設された複数の放熱フィンを有するものが開示されている。小径円筒部の他端側には、上記一対の連結部が形成され、小径円筒部の内部空間は、電源線の挿通孔となっている。小径円筒部は、器具本体をアームに首振り可能に取り付けるとともに、配線の外部空間への露出を少なくすることができる。
【先行技術文献】
【特許文献】
【０００４】
【特許文献１】特許第４８１６３９４号公報（第１２頁、第１３〜１４図）
【発明の概要】
【発明が解決しようとする課題】
【０００５】
しかしながら、小径円筒部の外周面に放熱フィンを有する構成は、スポットライトの構造を複雑にするという欠点を有する。また、小径円筒部により、放熱フィン間の通気が低下し、高出力化されるＬＥＤに対して器具本体の放熱を向上させにくいという欠点を有する。  
【０００６】
本実施形態は、器具本体の放熱が向上されるとともに、配線の露出が視認されにくく器具本体が首振り可能にアームに取り付けられるＬＥＤ照明装置を提供することを目的とする。
【課題を解決するための手段】
【０００７】
本実施形態のＬＥＤ照明装置は、灯体、器体、アーム、結合体および電線を有して構成される。  
【０００８】
灯体は、ＬＥＤ、本体部および放熱器を有して形成される。本体部は、筒状に形成され、ＬＥＤの放射光が一端側から前方に出射するようにＬＥＤを収納し、他端側に放熱器の底部が取り付けられている。放熱器は、本体部の他端側に取り付けられる底部と、複数個の放熱フィンおよび取付段部を有してなる。複数個の放熱フィンは、底部の外面に並設され、底部が本体部に取り付けられたときに本体部の後方に突出している。取付段部は、放熱フィンの先端側に底部側に凹んで設けられている。  
【０００９】
器体は、底板を有する箱状に形成され、ＬＥＤを点灯する点灯装置を収納している。アームは、その一端側が器体の底板に対して水平回動可能に取り付けられている。そして、アームは、中空に形成され、その他端側に垂直回転軸部および電線導入孔を有している。  
【００１０】
結合体は、灯体をアームに取り付けるものであり、一端側が灯体の取付段部に取り付けられ、他端側がアームの垂直回転軸部に器体の底板に対して垂直回動可能に取り付けられている。  
【００１１】
電線は、灯体のＬＥＤと器体に収納された点灯装置とを電気接続するものであり、灯体の本体部内から放熱器の底部を通して放熱フィン間に撓みを持って導入され、結合体の表面に沿ってアームの電線導入孔からアーム内に導入されて配線されている。
【発明の効果】
【００１２】
本発明の実施形態によれば、灯体の本体部およびアームの垂直回転軸部の間の電線は、放熱フィン間に撓みを持って導入され、結合体の垂直回転軸部での垂直回動による電線の伸縮を許容する遊びを有するので、電線が断線することがなく、かつ電線の露出を視認しにくいことが期待できる。
【図面の簡単な説明】
【００１３】
【図１】本発明の実施形態を示すＬＥＤ照明装置の上側から見た概略斜視図である。
【図２】同上、ＬＥＤ照明装置の下側から見た概略斜視図である。
【図３】同上、ＬＥＤ照明装置の灯体が取り付けられる前の下側から見た概略斜視図である。
【図４】同上、ＬＥＤ照明装置の概略側面図である。
【図５】同上、ＬＥＤ照明装置の器体が取り付けられる前の概略上面図である。
【図６】同上、アームおよび結合体の概略斜視図である。
【発明を実施するための形態】
【００１４】
以下、本発明の一実施の形態について、図面を参照して説明する。  
【００１５】
本実施形態のＬＥＤ照明装置１は、ライティングレールに取り付けられるスポットライトであり、図２に示すように、灯体２、器体３、アーム４、結合体５および不図示の電線６（図５に示す。）を有して構成されている。本実施形態では、灯体２、器体３、アーム４および結合体５は、高熱伝導率を有する金属例えばアルミニウム（Ａｌ）からなり、例えばダイキャストにより成型されている。  
【００１６】
灯体２は、図１に示すように、ＬＥＤ７、本体部８および放熱器９を有してなる。本体部８および放熱器９は、個別に例えばアルミダイキャストにより形成されている。ＬＥＤ７は、例えば白色光を放射するパッケージ品であり、不図示の円盤状の基板に実装されている。ＬＥＤ７は、その複数個が基板に例えば同心円状に配置されている。  
【００１７】
本体部８は、一端側８ａから他端側８ｂに径大する円筒状に形成され、一端側８ａから他端側８ｂの全長が比較的小さく形成されている。本体部８は、一端側８ａに円形状の開口１０を有している。また、本実施形態では、他端側８ｂにも不図示の円形状の開口を有している。そして、本体部８は、ＬＥＤ７の放射光が一端側８ａの開口１０から前方に出射するように、ＬＥＤ７が実装された基板を収納している。基板は、本体部８内の他端側８ｂに設けられている。そして、基板の開口１０側には、ＬＥＤ７に正対する不図示のレンズが形成された透光性の前面カバー１１が設けられている。前面カバー１１は、例えばポリカーボネート（ＰＣ）樹脂からなり、例えば射出成形により、有底の円筒体に形成されている。  
【００１８】
放熱器９は、図３に示すように、底部１２、複数個の放熱フィン１３および取付段部１４に形成されている。底部１２は、本体部８の他端側８ｂの開口を塞ぐように、本体部８の他端側８ｂの最大外径とほぼ同等の大きさの外周面１２ａを有する円形の柱体に形成されている。本体部８の他端側８ｂの開口を塞ぐ底部１２の一面（図示しない。）は、平面に形成されている。そして、底部１２は、１８０°回転対称の位置にある一端側１２ｃおよび他端側１２ｄにおいて、他端側１２ｄの外面１２ｂに隆起部１５を有するように形成されている。隆起部１５は、断面略波形であって、その表面１５ａが一端側１２ｃおよび他端側１２ｄの方向において対称的であり表面積が緩やかに増減する球面状となるように形成されている。底部１２は、一端側１２ｃにおいても相応の肉厚を有している。  
【００１９】
底部１２には、外面１２ｂにおいて一端側１２ｃから他端側１２ｄの方向と直交する方向の外周面１２ａ側に、外面１２ｂから段差付きの取付け孔１６が一対形成されている。この取付け孔１６を通したねじ１７が本体部８の一端側８ｂの内面側に形成された不図示のボスのねじ孔に完全にねじ込まれている。これにより、底部１２（放熱器９）は、本体部８の他端側８ｂに強固に取り付けられている。すなわち、底部１２は、本体部８の他端側８ｂの開口を塞ぐとともに、他端側８ｂの端面に密着して本体部８に熱結合している。  
【００２０】
複数個の放熱フィン１３は、底部１２の外面１２ｂに形成されている。各放熱フィン１３は、外面１２ｂにほぼ直交するとともに、一端側１２ｃから他端側１２ｄの方向に沿う板状に形成されている。また、各放熱フィン１３は、外面１２ｂにおいて一端側１２ｃから他端側１２ｄの方向と直交する方向（以下、並設方向と称する。）に間隔例えば１０〜１５ｍｍを有して並設されるように形成されている。  
【００２１】
各放熱フィン１３は、相応の肉厚を有し、本実施形態では、基端側１３ａから先端側１３ｂに向かうにつれて次第に薄くなるように形成されている。例えば、基端側１３ａの厚さは６ｍｍ、先端側１３ｂの厚さは３ｍｍとなっている。また、各放熱フィン１３は、底部１２の一端側１２ｃの端面１３ｃが底部１２の外周面１２ａに連続するとともに他端側１２ｄに若干傾斜するように形成されている。また、各放熱フィン１３は、底部１２の他端側１２ｄの端面１３ｄが隆起部１５の表面１５ａに連続するとともに先端側１３ｂにおいて端面１３ｃに連続するように先端側１３ｂに向かうにつれ端面１３ｃに近づくように傾斜して形成されている。すなわち、各放熱フィン１３は、略三角形の形状に形成されている。  
【００２２】
また、各放熱フィン１３は、底部１２の外面１２ｂからの突出長において、並設方向の真中（中央）の放熱フィン１３Ｅが最も大きく、並設方向の外側に位置するにしたがい順次突出長が小さくなり、並設方向の最も外側に位置する放熱フィン１３Ｇ，１３Ｇが最も小さい突出長となるように形成されている。各放熱フィン１３は、底部１２が本体部８の他端側８ｂに取り付けられたときに、本体部８の後方に突出している。  
【００２３】
取付段部１４は、結合体５が取り付けられる部位であり、複数個の放熱フィン１３のうち、並設方向の中間に位置する複数個の放熱フィン１３に設けられている。本実施形態では、並設方向の真中（中央）の放熱フィン１３Ｅおよびこの放熱フィン１３Ｅの隣りの放熱フィン１３Ｆ，１３Ｆに設けられており、かつそれらの端面１３ｄに設けられている。  
【００２４】
取付段部１４は、放熱フィン１３の先端側１３ｂ側において、先端から底部１２側に結合体５の一端側５ａを取付可能に凹んで形成されている。そして、本実施形態では、先端側１３ｂの端面１３ｄにおいて、端面１３ｃ側に凹んで形成されている。取付段部１４には、放熱フィン１３の突出方向に沿うボス１８が設けられている。そして、放熱フィン１３Ｅのボス１８には、円柱状の挿入孔１９が形成され、放熱フィン１３Ｆ，１３Ｆのボス１８，１８には、それぞれねじ孔２０が形成されている。  
【００２５】
こうして、ＬＥＤ７、本体部８および放熱器９を備える灯体２が形成されている。灯体２は、結合体５およびアーム４を介して器体３に取り付けられている。  
【００２６】
器体３は、底板２１を有する長方形の箱状に形成されている。底板２１は、固定物であり、その長手方向の一端側２１ａにアーム４を底板２１に対して水平回動可能に取り付けている。すなわち、底板２１は、アーム４を底板２１に直交する方向の軸周りに０°〜３６０°回転することのできるように取り付けている。  
【００２７】
また、器体３は、図１に示すように、底板２１の反対側に開口が設けられており、この開口を塞ぐように蓋体２２が取り付けられている。蓋体２２は、比較的肉厚を有する長方形の平板であり、４隅に略正四角形の段差２３が形成され、この段差２３に取付け孔２４が設けられている。そして、器体３の内側の４隅には、不図示のボスが設けられており、このボスにねじ孔が形成されている。取付け孔２４を通したねじ２５がねじ孔に完全にねじ込まれることにより、蓋体２２は、ねじ２５が蓋体２２から突出することなく、器体３に取り付けられている。  
【００２８】
そして、蓋体２２は、ライティングレールに取り付けられるアダプタ２６を貫
通させて器体３の内側で取り付けている。アダプタ２６は、ライティングレールに挿入されることにより、器体３をライティングレールに固定するとともに、ライティングレールの導電レールから外部電源を給電するものである。そして、アダプタ２６は、本体部材２７および係止部材２８の２パーツからなっている。本体部材２７には、図３に示すように、端子レバー２９および電源切替レバー３０が設けられている。本体部材２７をライティングレールに挿入後、端子レバー２９を操作することにより、本体部材２７の両側面２７ａ，２７ａ（図３中、一方のみを示す。）から不図示の電源端子が突出し、電源端子がライティングレールの導電レールに電気接続するとともに係止する。また、電源切替レバー３０を操作することにより、電源端子と導電レールとの接続が選択される。また、本体部材２７には、不図示のロックレバーが設けられている。係止部材２８は、ライティングレールに挿入後、本体部材２７に結合し、不図示の係止レバーの操作によりライティングレールに係止するものである。  
【００２９】
器体３は、図４に示すように、点灯装置３１を収納している。点灯装置３１は、基板およびこの基板に実装された多数の電子部品を有してなり、灯体２のＬＥＤ７に定電流を供給してＬＥＤ７を点灯するように形成されている。点灯装置３１の入力線は、アダプタ２６の電源端子に接続されている。また、出力線である電線６は、アーム４および結合体５を経由して灯体２のＬＥＤ７に接続されている。  
【００３０】
アーム４は、灯体２を器体３から所定の位置に離すとともに器体３に対して０°〜３６０°回動させるものであり、剛体に形成され、図６に示すように、連結部材３２およびカバー部材３３の２パーツからなっている。連結部材３２およびカバー部材３３は、個別に例えばアルミダイキャストにより形成されている。連結部材３２は、一端側３２ａに回動部３４、他端側３２ｂに垂直回転軸部３５，３５を有し、回動部３４および垂直回転軸部３５，３５が連結部３６により連結されている。  
【００３１】
回動部３４は、上面３４ａに円柱部３７、環状の段部３８および長方形の鍔部３９を有する略円筒体に形成されている。段部３８は、円柱部３７の外周面３７ｂに沿うように設けられている。円柱部３７の上面３７ａには、電線６を挿通させるための一対の貫通孔４０，４０および円柱部３７を器体３の底板２１に回動自在に取り付けるための一対のねじ孔４１，４１が設けられている。また、鍔部３９側には、ねじ４２を挿入する段差付きの取付け孔４３が設けられている。  
【００３２】
垂直回転軸部３５，３５は、互いに正対する底面３５ａ，３５ａに回転孔４４，４４（図６中、一方のみを示す。）を有する略円筒体に形成されている。連結部３６は、湾曲板部４５およびこの湾曲板部４５の両側に湾曲板部４５に沿って設けられた一対の側板部４６，４６に形成され、これらが回動部３４および垂直回転軸部３５，３５に連結されている。湾曲板部４５には、連結部材３２の他端側３２ｂ（垂直回転軸部３５，３５側）に略Ｕ字状の切り欠き部４７が設けられている。切り欠き部４７は、垂直回転軸部３５，３５の中間に位置している。そして、切り欠き部４７には、電線６をアーム４内に導入するための電線導入孔４７Ａが設けられている。  
【００３３】
そして、カバー部材３３は、回動部３４内および連結部３６内をそれぞれ塞ぐ平面の底板部４８および湾曲の背面板部４９に形成されている。そして、背面板部４９の内側にねじ孔５０を有する略円柱状のボス５１が設けられている。また、底板部４８の内側には、位置決め用および位置ずれ防止用の円弧状段部５２が設けられている。カバー部材３３は、連結部材３２の回動部３４の取付け孔４３に挿入されたねじ４２がボス５１のねじ孔５０に完全にねじ込まれることにより、連結部材３２に取り付けられる。これにより、連結部材３２およびカバー部材３３が一体化されて中空のアーム４が形成される。このとき、アーム４内は、連結部３６の切り欠き部４７の電線導入孔４７Ａを通じて外気に連通し、回動部３４の円柱部３７の貫通孔４０，４０を通じて器体３内に連通している。  
【００３４】
器体３の底板２１には、図示しないが、円孔が設けられている。そして、器体３内には、当該円孔に底端面が臨むようにして円筒状の取付け体が底板２１から起立して設けられている。アーム４は、その回動部３４の円柱部３７が前記取付け体内に挿入され、環状の段部３８が取付け体の底端面に当接している。そして、取付け体の頂端面に載置した円形状の取付板が円柱部３７のねじ孔４１，４１にねじ止めされている。これにより、取付板および回動部３４の段部３８が取付け体を挟み込み、回動部３４が取付け体に回動可能に取り付けられている。取付板には、回動部３４を０°〜３６０°の範囲で回動させるためのストッパが設けられている。アーム４は、回動部３４の円柱部３７が回転軸となり、円柱部３７周りで０°〜３６０°回動する。こうして、アーム４は、一端側３２ａの回動部３４が器体３の底板２１に底板２１に対して水平回動可能に取り付けられている。そして、アーム４の他端側３２ｂの垂直回転軸部３５，３５に結合体５が取り付けられている。なお、垂直回転軸部３５，３５の一方には、結合体５の湾曲板部４５側への回動を規制するストッパ片部５３が設けられている。  
【００３５】
結合体５は、灯体２をアーム４に首振り可能に取り付けるものであり、一端側５ａに略凸形の取付部５４および他端側５ｂに柱状のヒンジ部５５を有する塊の剛体に形成されている。ヒンジ部５５は、その先端側５５ａが円弧状面に形成され、その両側面５５ｂ，５５ｂにねじ孔５６が形成されている。ねじ孔５６は、本実施形態では、両端面５５ｂ，５５ｂに貫通して設けられてもよく、両端面５５ｂ，５５ｂから所定の深さに設けられてもよい。また、ヒンジ部５５は、その両側面５５ｂ，５５ｂがアーム４の一対の垂直回転軸部３５，３５の底面３５ａ，３５ａに近接するとともに、その先端側５５ａが垂直回転軸部３５，３５の底面３５ａ，３５ａ間の空間よりも突出しないような大きさに形成されている。  
【００３６】
結合体５は、そのヒンジ部５５が垂直回転軸部３５，３５間に挿入された状態で、垂直回転軸部３５，３５の回転孔４４，４４を通したねじ５７，５７（図２〜図４に示す。）がヒンジ部５５のねじ孔５６に強くねじ込まれる。すなわち、ねじ５７，５７は、垂直回転軸部３５，３５の底部３５ａ，３５ａに強く当接するまでねじ込まれる。これにより、結合体５は、その他端側５ｂのヒンジ部５５がねじ５７，５７を回転軸として、垂直回転軸部３５，３５に器体３の底板２１に対して垂直回動可能に取り付けられている。すなわち、結合体５は、アーム３に対して垂直回転軸部３５，３５と直交する方向で首振り可能に取り付けられている。  
【００３７】
結合体５の一端側５ａの取付部５４は、その端面５４ａおよび背面５４ｂがそれぞれ平面に形成されている。そして、端面５４ａから背面５４ｂに貫通する貫通孔５８，５８が形成されている。この貫通孔５８，５８は、図３に示す灯体２の取付段部１４に形成されたねじ孔２０，２０に対応して設けられ、ねじ５９のねじ部を通す円柱状に形成されている。また、端面５４ａには、円柱状の突出ピン６０が起立して設けられている。この突出ピン６０は、灯体２の取付段部１４に形成された挿入孔１９に対応して設けられている。  
【００３８】
結合体５は、図３に示すように、取付部５４の貫通孔５８，５８にねじ５９，５９を通して、取付部５４の突出ピン６０が灯体２の取付段部１４の挿入孔１９に挿入される。そして、ねじ５９，５９が取付段部１４のねじ孔２０，２０に強固にねじ込まれる。これにより、灯体２は、図２に示すように、結合体５に強固に取り付けられて、結合体５と一体になっている。灯体２は、アーム４に対して首振り可能となり、アーム４が器体３に対して底板２１の水平方向で０°〜３６０°回動可能となっていることにより、ＬＥＤ７の照射方向が所望に可変可能となっている。  
【００３９】
灯体２内のＬＥＤ７と器体３に収納されている点灯装置３１とは、電線６により電気接続されている。電線６は、図５に示すように、灯体２の本体部８内において、ＬＥＤ７が実装された基板に接続されてＬＥＤ７に電気接続している。そして、電線６は、本体部８の他端側８ｂの開口から放熱器９の底部１２に設けられた不図示の電線挿通孔を通って取付段部１４が設けられた放熱フィン１３Ｅ，１３Ｆ間に設けられている。ここで、電線６は、アーム４の連結部材３２に形成された切り欠き部４７に対向する放熱フィン１３Ｅ，１３Ｆ間に配線されている。電線６は、放熱フィン１３Ｅ，１３Ｆ間において、放熱フィン１３の突出方向である程度撓まされている。  
【００４０】
そして、電線６は、放熱フィン１３Ｅ，１３Ｆの先端側１３ｂにおいて、放熱フィン１３の端面１３ｃ側の結合部５の表面に沿って配線され、アーム４の他端側３２ｂの切り欠き部４７に設けられた電線導入孔４７Ａからアーム４内に導入されている。アーム４内に導入された電線６は、回動部３４の円柱部３７の貫通孔４０，４０を通して器体３内に引き出されている。アーム４内における電線６の配線は、カバー部材３３を連結部材３２から取り外して行われる。すなわち、電線６の配線は、結合体５により灯体２が取り付けられたアーム４が器体３に取り付けられる前に行われる。器体３内に引き出された電線６は、点灯装置３１の出力側に接続されている。  
【００４１】
次に、本実施形態の作用について述べる。  
【００４２】
ＬＥＤ照明装置１は、ライティングレールの導電レールに外部電源が供給されると、アダプタ２６を介して点灯装置３１に外部電源が入力する。点灯装置３１は、動作して交流電源を直流電源に変換し、電線６を介して所定の電流を灯体２のＬＥＤ７に供給する。ＬＥＤ７は、点灯して白色光を放射する。この白色光は、前面カバー１１で制光されて、灯体２の開口１０から灯体２の前方に出射する。  
【００４３】
そして、アーム４を器体３の底板２１に対して０°〜３６０°の範囲で所望の位置に水平回動させ、結合体５をアーム４の垂直回転軸部３５，３５周りで所望の位置に垂直回動（首振り）させることにより、灯体２の照射方向が所望の出射方向に可変される。アーム４は、所望の水平回動の位置で器体３の底板２１側に固定され、結合体５は、所望の垂直回動の位置でアーム４の垂直回転軸部３５，３５に固定される。したがって、灯体２は、器体３に対して固定され、その照射方向が所望の出射方向に維持される。これにより、灯体２から出射される白色光を被照射物に向かって照射することができる。  
【００４４】
ＬＥＤ７は、点灯に伴って発熱する。この熱は、灯体２の本体部８に伝熱され、本体部８に熱結合している放熱器９の底部１２に伝熱され、底部１２から複数個の放熱フィン１３に伝熱される。本体部８および抵抗器９は、高熱伝導率を有する金属例えばアルミニウム（Ａｌ）により形成されているので、ＬＥＤ７の発生熱は、迅速に複数個の放熱フィン１３に伝熱される。また、複数個の放熱フィン１３は、底部１２の外面１２ｂに間隔を有して並設して設けられているので、表面積（放熱面）が大きくなっている。したがって、ＬＥＤ７の発生熱は、本体部８および放熱フィン１３から外部空間に迅速に放出される。これにより、ＬＥＤ７の温度上昇が抑制されて、ＬＥＤ７が長寿命化され、ＬＥＤ７の色光に対する色調変化が抑制される。  
【００４５】
灯体２は、放熱器９の底部１２が本体部８に熱結合し、放熱器９の複数個の放熱フィン１３が灯体２の後方に突出するように底部１２に並設して設けられるので、ＬＥＤ７の出力に応じて、放熱フィン１３の形状や大きさを所望に設定可能である。したがって、ＬＥＤ７の実装数や電力が増加されて高出力化されても、灯体２の放熱を向上させることが可能である。  
【００４６】
そして、灯体２は、複数個の放熱フィン１３の先端側１３ｂの取付段部１４において結合部４に取り付けられている。取付段部１４は、放熱フィン１３の先端側１３ｂに先端から凹
んで設けられ、本実施形態では、放熱フィン１３の突出方向に沿う端面１３ｄに設けられている。ＬＥＤ７と点灯装置３１とを電気接続する電線６は、灯体２の放熱器９の底部１２とアーム４の切り欠き部４７との間において外部空間に露出する。ここで、電線６は、取付段部１４が設けられた放熱フィン１３Ｅ，１３Ｆの間に撓みを持って導入されて配線され、結合体５の表面に沿ってアーム４の切り欠き部４７の電線導入孔４７Ａからアーム４内に導入されている。電線６は、ある程度撓んで放熱フィン１３Ｅ，１３Ｆの間に配線されているので、灯体２（結合体５）がアーム４の垂直回転軸部３５，３５で垂直回動（首振り回転）されても、灯体２の底部１２およびアーム４の切り欠き部４７の間における電線６の前記垂直回動による伸縮が放熱フィン１３Ｅ，１３Ｆの間に留まる遊びを許容する。したがって、灯体２が前記垂直回動されても電線６が断線することはなく、電線６の外部空間への露出が外部から視認しにくいものである。  
【００４７】
本実施形態のＬＥＤ照明装置１によれば、灯体２の放熱器９の複数個の放熱フィン１３は、底部１２から灯体２の後方に突出するように設けられるので、放熱フィン１３の形状や大きさをＬＥＤ７の出力に応じて所望に設定することにより、灯体２の放熱を向上できるという効果を有する。  
【００４８】
また、灯体２は、放熱フィン１３に設けられた取付段部１４が結合体５によりアーム４に取り付けられ、ＬＥＤ７と点灯装置３１とを電気接続する電線６は、灯体２の本体部８内から放熱器９の底部１２を通して放熱フィン１３，１３間に撓みを持って導入され、結合体５の表面に沿ってアーム４の切り欠き部４７の電線導入孔４７Ａからアーム４内に導入されて配線されるので、灯体２がアーム４に対して垂直回動されても、電線６が断線することがなく、かつ電線６の露出を視認しにくくして、灯体２をアーム４に対して垂直回転軸部３５，３５で首振り可能に取り付けることができるという効果を有する。  
【００４９】
また、放熱器９は、灯体２の取付段部１４が放熱フィン１３の並設方向の中間に位置する複数個の放熱フィン１３Ｅ，１３Ｆに設けられているので、放熱フィン１３Ｅ，１３Ｆの間に導入した電線６を結合部５の表面に沿ってアーム４の切り欠き部４７の電線導入孔４７Ａからアーム４内に容易に導入できるという効果を有する。  
【００５０】
なお、本実施形態において、放熱フィン１３は、略三角形状に形成したが、これに限らず、例えば長方形状に形成してもよい。この場合、取付段部１４は、放熱フィン１３の先端側１３ｂにおいて、先端から底部１２側に四角柱状や円柱状などの柱状に凹んで設けられていてもよい。  
【００５１】
また、本発明の上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００５２】
１…ＬＥＤ照明装置、  ２…灯体、  ３…器体、  ４…アーム、  ５…結合体、  ６…電線、  ７…ＬＥＤ、  ８…本体部、  ９…放熱器、  １２…底部、  １３…放熱フィン、  １４…取付段部、  ２１…底板、  ３１…点灯装置、  ３５，３５…垂直回転軸部、  ４７Ａ…電線導入孔
【図１】
2015022860.tif 000003
【図２】
2015022860.tif 000004
【図３】
2015022860.tif 000005
【図４】
2015022860.tif 000006
【図５】
2015022860.tif 000007
【図６】
2015022860.tif 000008